(57)【要約】第１の車両本体の構造体と第２の車両本体の構造体とを接続するための車両サスペンションマウントであって、マウントは第１の外側コンテナ部材と、第２の外側キャップ部材とを備え、第２の外側キャップ部材は非エラストマー中心軸シャフトと外側エラストマーキャップとを有し、外側エラストマーキャップは第１の外側コンテナ部材に対して半径方向外側に取り付けられ、非エラストマー中心軸シャフトは、シャフト軸に沿って第１の外側コンテナ部材の内側に長手方向に延び、非エラストマー中心シャフトは外側エラストマーキャップから遠位にある端部を有する。第１の外側コンテナ部材および第２の外側キャップ部材はサスペンションマウントダンピング液体を含有し、サスペンションマウントダンピング液体ダンパポンプ部材は端部に近接して非エラストマー中心シャフトに固定され、内部エラストマー軸受支持アセンブリは第１の外側コンテナ部材に配置される。【選択図】図１Ａ
2011521176.tif 000002
【特許請求の範囲】
【請求項１】
第１の車両本体の構造体と第２の車両本体の構造体とを接続するための車両サスペンションマウントであって、前記マウントは、
第１の外側コンテナ部材と、
第２の外側キャップ部材であって、前記第２の外側キャップ部材は、非エラストマー中心軸シャフトと、外側エラストマーキャップとを有し、前記外側エラストマーキャップは、前記第１の外側コンテナ部材に対して半径方向外側に配置され、前記非エラストマー中心軸シャフトは、シャフト軸に沿って前記第１の外側コンテナ部材の内側に長手方向に延び、前記非エラストマー中心シャフトは、前記外側エラストマーキャップから遠位の端部を有する、第２の外側キャップ部材と、
前記第１の外側コンテナ部材と前記第２の外側キャップ部材はサスペンションマウントダンピング液体を含有し、
サスペンションマウントダンピング液体ダンパポンプ部材であって、前記サスペンションマウントダンピング液体ダンパポンプ部材は、前記端部に近接する前記非エラストマー中心シャフトに固定される、サスペンションマウントダンピング液体ダンパポンプ部材と、
前記サスペンションマウントダンピング液体ダンパポンプ部材と前記第２の外側キャップ部材との間で前記第１の外側コンテナ部材に配置される内部エラストマー軸受支持アセンブリであって、前記内部エラストマー軸受支持アセンブリは、内部非エラストマー基礎部材に結合された内部エラストマー部材を備え、前記内部非エラストマー基礎部材は、前記内部エラストマー部材を前記第１の外側コンテナ部材に配置し、前記内部エラストマー部材は、前記非エラストマー中心シャフトの軸受面に対して低摩擦軸受を支持し、前記低摩擦軸受は前記非エラストマー中心軸のシャフト軸と並んで配置され、前記非エラストマー中心軸のシャフトは、前記低摩擦軸受に沿って移動し、前記サスペンションマウントダンピング液体ダンパポンプ部材は、前記サスペンションマウントダンピング液体をくみ上げる、内部エラストマー軸受支持アセンブリと、
を備える、車両サスペンションマウント。
【請求項２】
コイルスプリングであって、前記コイルスプリングは、前記非エラストマー中心シャフトの端部と前記第１の外側コンテナ部材との間に配置される、コイルスプリングを備える、請求項１に記載の車両サスペンションマウント。
【請求項３】
前記サスペンションマウントダンピング液体ダンパポンプは、カップ内部を有するサスペンションマウントダンピング液体ダンパポンプのカップ状の部材から構成される、請求項１に記載の車両サスペンションマウント。
【請求項４】
スプリングであって、前記スプリングは、前記非エラストマー中心シャフトの端部と前記第１の外側コンテナ部材との間に配置され、前記スプリングは前記カップ内部に受容される、スプリングを備える、請求項３に記載の車両サスペンションマウント。
【請求項５】
前記サスペンションマウントダンピング液体ダンパポンプのカップ状の部材を前記シャフトに固定するボルトおよびボルトスペーサーであって、前記ボルトおよびボルトスペーサーは前記カップ内部に受容される、ボルトおよびボルトスペーサーを備える、請求項３に記載の車両サスペンションマウント。
【請求項６】
前記サスペンションマウントダンピング液体ダンパポンプのカップ状の部材を前記シャフトに固定するボルトおよびボルトスペーサーと、サスペンションスプリングとを備え、前記ボルト、前記ボルトスペーサー、および前記サスペンションスプリングは前記カップ内部に受容される、ボルトおよびボルトスペーサーと、サスペンションスプリングとを備える、請求項３に記載の車両サスペンションマウント。
【請求項７】
前記低摩擦軸受は、乾燥金属ポリマー軸受から構成される、請求項１に記載の車両サスペンションマウント。
【請求項８】
前記低摩擦軸受は、金属で裏打ちされたポリテトラフルオロエチレン軸受から構成される、請求項１に記載の車両サスペンションマウント。
【請求項９】
結合された非エラストマー管状軸受レシーバであって、前記結合された非エラストマー管状軸受レシーバは前記内部エラストマー部材の内周に結合される、結合された非エラストマー管状軸受レシーバを備え、前記低摩擦軸受は前記結合された非エラストマー管状軸受レシーバに受容される、請求項１に記載の車両サスペンションマウント。
【請求項１０】
前記非エラストマー中心シャフトの前記軸受面は、軸受面管状部材の外径面から構成され、前記軸受面管状部材は、前記非エラストマー中心シャフトの部分の外径と適合する内径を有する、請求項１に記載の車両サスペンションマウント。
【請求項１１】
結合された非エラストマー管状軸受レシーバであって、前記結合された非エラストマー管状軸レシーバは前記内部エラストマー部材の内周に結合される、結合された非エラストマー管状軸受レシーバを備え、前記低摩擦軸受は前記結合された非エラストマー管状軸受レシーバに受容され、前記非エラストマー中心シャフトの前記軸受面は軸受面管状部材の外径面から構成され、前記軸受面管状部材は、前記非エラストマー中心シャフトの部分の外径と適合する内径を有する、請求項１に記載の車両サスペンションマウント。
【請求項１２】
前記内部非エラストマー基礎部材は、半径方向内側に延びるフランジプレートおよび実質的に垂線軸に延びる延長部を備える、請求項１に記載の車両サスペンションマウント。
【請求項１３】
取り付けフランジを有するカップハウジングと、上端部および低端部を有する中心軸シャフトであって、前記中心軸シャフトは前記カップハウジングの中心軸に沿って配置される中心軸シャフトと、前記シャフトの上端部と前記カップハウジングとの間の流体を漏らさないように密封するフレキシブルなシールキャップと、高粘度液体と、前記シャフトの下端部で、かつ前記高粘度液体中に取り付けられた可動式ダンピングポンプと、
前記カップハウジングの底と前記可動式ダンピングポンプとの間に配置されるスプリングと、
前記ダンピングポンプと前記フレキシブルなシールキャップとの間で前記ハウジング内に配置される内部エラストマー軸受支持アセンブリであって、前記内部エラストマー軸受支持アセンブリは、前記可動式ダンピングポンプから前記フレキシブルなシールキャップへの方向、かつ、前記フレキシブルなシールキャップから前記可動式ダンピングポンプへの反対方向の前記液体の流れを可能にするために、少なくとも１つの第１の液体流導管を有し、前記内部エラストマー軸受支持アセンブリは、内部非エラストマー基礎部材に結合された内部エラストマー部材を備え、前記内部非エラストマー基礎部材は、前記内部エラストマー部材を前記ハウジングに配置し、前記内部エラストマー部材は、前記中心シャフトの軸受面に対してスライドする軸受を支持し、前記軸受は前記中心軸と並んで配置し、前記中心軸シャフトは前記軸受に沿って移動し、前記ポンプは、高振幅移動で低振動数範囲における高いレベルのダンピングと比較して、低振幅振動で高振動数範囲における低いレベルのダンピングで前記液体をくみ上げる、内部エラストマー軸受支持アセンブリと、
を備える、液体マウント。
【請求項１４】
車両キャブサスペンションマウントを製造する方法であって、前記方法は、
第１の外側コンテナ部材を設ける工程と、
非エラストマー中心軸シャフト、および外側エラストマーのフレキシブルなシールキャップを設ける工程であって、前記外側エラストマーキャップは、前記第１の外側コンテナ部材に対して半径方向外側に配置され、前記非エラストマー中心軸シャフトは、シャフト軸に沿って前記第１の外側コンテナ部材の内側に長手方向に延び、前記非エラストマー中心シャフトは端部を有する、工程と、
前記非エラストマー中心シャフトの端部に近接してサスペンションマウントダンピング液体ダンパポンプ部材を配置する工程と、
前記サスペンションマウントダンピング液体ダンパポンプ部材と前記外側キャップ部材との間で前記第１の外側コンテナ部材に内部エラストマー軸受支持アセンブリを設ける工程であって、前記内部エラストマー軸受支持アセンブリは、内部非エラストマー基礎部材に結合された内部エラストマー部材を備え、前記内部非エラストマー基礎部材は、前記内部エラストマー部材を前記第１の外側コンテナ部材に配置し、前記内部エラストマー部材は、前記非エラストマー中心シャフトのためのスライドする軸受を支持し、前記軸受は、前記非エラストマー中心軸シャフトの軸と並んで配置され、前記非エラストマー中心軸シャフトは前記軸受に沿って移動する、工程と、
前記第１の外側コンテナ部材を車両キャブサスペンションマウントダンピング液体で充填する工程であって、前記非エラストマー中心軸シャフトが前記軸受に沿って移動する場合、前記サスペンションマウントダンピング液体ダンパポンプ部材は、前記車両キャブサスペンションマウントダンピング液体をくみ上げる、工程と、
を含む、方法。
【請求項１５】
コイルスプリングを設ける工程と、前記非エラストマー中心シャフト端部と前記第１の外側コンテナ部材との間に前記コイルスプリングを配置する工程と、を含む、請求項１４に記載の方法。
【請求項１６】
前記サスペンションマウントダンピング液体ダンパポンプは、カップ内部を有するサスペンションマウントダンピング液体ダンパポンプのカップ状の部材から構成される、請求項１４に記載の方法。
【請求項１７】
スプリングを設ける工程であって、前記スプリングは、前記非エラストマー中心シャフトの端部と前記第１の外側コンテナ部材との間に配置され、前記スプリングは前記カップ内部に受容される、工程を含む、請求項１６に記載の方法。
【請求項１８】
ボルトおよびボルトスペーサーを設ける工程と、前記サスペンションマウントダンピング液体ダンパポンプのカップ状の部材を、前記ボルトおよび前記ボルトスペーサーを用いて前記シャフトに固定する工程であって、前記ボルトおよび前記ボルトスペーサーは前記カップ内部に受容される、工程とを含む、請求項１６に記載の方法。
【請求項１９】
前記サスペンションマウンドダンピング液体ダンパポンプのカップ状の部材を前記シャフトに固定するボルトおよびボルトスペーサーと、サスペンションスプリングとを備え、前記ボルト、前記ボルトスペーサー、および前記サスペンションスプリングは前記カップ内部に受容される、請求項１６に記載の方法。
【請求項２０】
前記スライドする軸受は乾燥金属ポリマー軸受から構成される、請求項１４に記載の方法。
【請求項２１】
前記スライドする軸受は、金属で裏打ちされたポリテトラフルオロエチレン軸受から構成される、請求項１４に記載の方法。
【請求項２２】
前記非エラストマー中心シャフトのための前記スライドする軸受を支持する前記内部エラストマー部材は、結合された非エラストマー管状軸受レシーバを備え、前記結合された非エラストマー管状軸受レシーバは、前記内部エラストマー部材の内周に結合され、前記スライドする軸受は、前記結合された非エラストマー管状軸受レシーバ内に受容される、請求項１４に記載の方法。
【請求項２３】
前記非エラストマー中心シャフトは軸受面管状部材を備え、前記軸受面管状部材は、外径軸受面と、前記非エラストマー中心シャフトの部分の外径と適合する内径とを有し、前記非エラストマー中心シャフト軸受面管状部材の外径軸受面は前記スライドする軸受に沿ってスライドする、請求項１４に記載の方法。
【請求項２４】
結合された非エラストマー管状軸受レシーバを備え、前記結合された非エラストマー管状軸受レシーバは、前記内部エラストマー部材の内周に結合され、前記軸受は前記結合された非エラストマー管状軸受レシーバに受容され、前記非エラストマー中心シャフトは軸受面管状部材から構成され、前記軸受面管状部材は、外径軸受面と、前記非エラストマー中心シャフトの部分の外径と適合された内径とを有し、前記軸受管状部材の外径軸受面の軸受面は前記軸受に沿ってスライドする、請求項１４に記載の方法。
【請求項２５】
前記内部非エラストマー基礎部材は、半径方向内側に延びるフランジプレートと、実質的に垂線軸に延びる延長部とを備える、請求項１４に記載の方法。
【請求項２６】
前記可動式ダンピングポンプから前記フレキシブルなシールキャップへの方向、かつ、前記フレキシブルなシールキャップから前記可動式ダンピングポンプへの反対方向の前記液体の流れを可能にするために、前記内部エラストマー軸受支持アセンブリにおいて少なくとも１つの第１の液体流導管を設ける工程であって、前記シャフトは前記軸受に沿って移動し、前記ポンプは、高振幅移動で低振動数範囲における高いレベルのダンピングと比較して、低振幅振動で高振動数範囲における低いレベルのダンピングで前記液体をくみ上げる、工程を含む、請求項１４に記載の方法。
【請求項２７】
前記設けられた少なくとも１つの第１の液体流導管のオリフィスのサイズを調節して、前記高振動数範囲を調整する工程を含む、請求項２６に記載の方法。
【請求項２８】
車両キャブサスペンションマウントを製造する方法であって、前記方法は、
第１の外側コンテナ部材を設ける工程と、
非エラストマー中心軸シャフトと外側エラストマーのフレキシブルなシールキャップとを設ける工程であって、前記外側エラストマーキャップは、前記第１の外側コンテナ部材に対して半径方向外側に配置され、前記非エラストマー中心軸シャフトは、シャフト軸に沿って前記第１の外側コンテナ部材の内側に長手方向に延び、前記非エラストマー中心シャフトは端部を有する、工程と、
前記非エラストマー中心シャフト端部に近接してサスペンションマウントダンピング液体ダンパポンプ部材を配置する工程と、
前記サスペンションマウントダンピング液体ダンパポンプ部材と前記外側キャップ部材との間で前記第１の外側コンテナ部材に内部エラストマー中間体アセンブリを設ける工程であって、前記内部エラストマーアセンブリは、内部非エラストマー基礎部材に結合された内部エラストマー部材を備え、前記内部非エラストマー基礎部材は、前記内部エラストマー部材を前記第１の外側コンテナ部材に配置し、前記内部エラストマー部材は前記コンテナ基礎部材の内側から前記シャフトに対して延び、第１のフレキシブルなシールキャップチャンバと第２の可動式ダンピングポンプチャンバとを設けるために、前記フレキシブルなシールキャップから前記可動式ダンピングポンプを分離し、前記内部エラストマーアセンブリは、前記可動式ダンピングポンプから前記フレキシブルなシールキャップへの方向、かつ、前記フレキシブルなシールキャップから前記可動式ダンピングポンプへの反対方向の前記液体の流れを可能にするために、前記第１のフレキシブルなシールキャップチャンバと前記第２の可動式ダンピングポンプチャンバとの間に少なくとも１つの第１の液体流導管を有し、前記少なくとも１つの第１の液体流導管は、前記非エラストマー中心軸シャフトから遠位にある、工程と、
前記第１の外側コンテナ部材に車両キャブサスペンションマウントダンピング液体を充填する工程であって、前記サスペンションマウントダンピング液体ダンパポンプ部材は、前記車両キャブサスペンションマウントダンピング液体をくみ上げ、前記液体は、前記非エラストマー中心軸シャフトから遠位にある前記第１の液体流導管を通って流れる、工程と、
を含む方法。
【請求項２９】
コイルスプリングを設ける工程と、前記非エラストマー中心シャフトの端部と前記第１の外側コンテナ部材との間に前記コイルスプリングを配置する工程と、を含む、請求項２８に記載の方法。
【請求項３０】
前記サスペンションマウントダンピング液体ダンパポンプは、カップ内部を有するサスペンションマウントダンピング液体ダンパポンプのカップ状の部材から構成される、請求項２８に記載の方法。
【請求項３１】
スプリングを設ける工程であって、前記スプリングは、前記非エラストマー中心シャフトの端部と前記第１の外側コンテナ部材との間に配置され、前記スプリングは前記カップ内部に受容される、工程を含む、請求項３０に記載の方法。
【請求項３２】
ボルトおよびボルトスペーサーを設ける工程と、前記サスペンションマウントダンピング液体ダンパポンプのカップ状の部材を、前記ボルトおよび前記ボルトスペーサーを用いて前記シャフトに固定する工程であって、前記ボルトおよび前記ボルトスペーサーは前記カップ内部に受容される、工程とを含む、請求項３０に記載の方法。
【請求項３３】
前記サスペンションマウントダンピング液体ダンパポンプのカップ状の部材を前記シャフトに固定するボルトおよびボルトスペーサーと、サスペンションスプリングとを備え、前記ボルト、前記ボルトスペーサーおよび前記サスペンションマウントスプリングは前記カップ内部に受容される、請求項３０に記載の方法。
【請求項３４】
前記内部非エラストマー基礎部材は、半径方向内側に延びるフランジプレートと、実質的に垂線軸に延びる延長部とを備える、請求項２８に記載の方法。
【請求項３５】
前記内部エラストマー中間体アセンブリは、前記第１のフレキシブルなシールキャップチャンバと前記第２の可動式ダンピングポンプチャンバとの間で前記シャフトに隣接する液体の流れを防ぐ、請求項２８に記載の方法。
【請求項３６】
第１の外部コンテナ部材と、非エラストマー中心軸シャフトと、前記第１の外側コンテナ部材と前記非エラストマー中心軸シャフトとの間の相対的動作を制御するための手段とを備える、サスペンションマウント。
【請求項３７】
図示し、記載したようなサスペンションマウントと、第１の外側コンテナ部材と、非エラストマー中心軸シャフトと、前記第１の外側コンテナ部材と前記非エラストマー中心軸シャフトとの間の相対的動作を制御するための手段。
【発明の詳細な説明】
【技術分野】
【０００１】
（相互参照）
本出願は、２００８年４月２日に出願された米国仮特許出願第６１／０４１，７８２号ならびに２００８年５月１９日に出願された米国仮特許出願第６１／１２８，０９４号および同第６１／１２８，０９５号の利益を主張し、それらを参照により援用する。
【０００２】
（発明の分野）
本発明は、第１の本体の構造体と第２の本体の構造体との間を接続するためのサスペンションマウントの分野に関する。本発明は、第１の車両本体の構造体と第２の車両本体の構造体とを接続するための車両キャブサスペンションマウントの構造物の分野に関する。より具体的には、本発明は、マウント液体を含有する車両キャブサスペンションマウントの分野に関する。
【発明の概要】
【課題を解決するための手段】
【０００３】
一実施形態において、本発明は車両サスペンションマウントを含む。マウントは、中心軸シャフト上のサスペンションマウントダンピング液体ダンパポンプ部材によって移動されるマウントダンパ液体を含有する外側コンテナを備える。マウントは、サスペンションマウントダンピング液体ダンパポンプ部材と外側キャップ部材との間で外側コンテナに配置される内部エラストマー軸受支持アセンブリを備え、内部エラストマー軸受支持アセンブリは、外側コンテナに配置される内部エラストマー部材を備え、内部エラストマー部材は中心シャフトの軸受面に対してスライドする低摩擦軸受を支持し、低摩擦軸受は非エラストマー中心軸シャフト軸と並んで配置し、非エラストマー中心軸シャフトは低摩擦軸受に沿って移動し、サスペンションマウントダンピング液体ダンパポンプ部材はサスペンションマウントダンピング液体をくみ上げる。
【０００４】
一実施形態において、本発明は液体マウントと、取り付けフランジを有するカップハウジングと、上端部および下端部を有する中心軸シャフトであって、その中心軸シャフトはカップハウジングの中心軸に沿って配置される中心軸シャフトと、シャフトの上端部とカップハウジングとの間で流体を漏らさないように密封するフレキシブルなシールキャップと、高粘度液体と、シャフトの下端部に、かつ高粘度液体中で取り付けられる可動式ダンピングポンプと、カップハウジングの底と可動式ダンピングポンプとの間に配置されるスプリングと、ダンピングポンプとフレキシブルなシールキャップとの間でハウジングに配置される内部エラストマー軸受支持アセンブリであって、その内部エラストマー軸受支持アセンブリは、可動式ダンピングポンプからフレキシブルなシールキャップへの方向、かつフレキシブルなシールキャップから可動式ダンピングポンプへの反対方向の液体の流れを可能にするために、少なくとも１つの第１の液体流導管を有し、その内部エラストマー軸受支持アセンブリは、内部非エラストマー基礎部材に結合される内部エラストマー部材を備え、その内部非エラストマー基礎部材は、内部エラストマー部材をハウジングに配置し、内部エラストマー部材は、中心シャフトの軸受面に対してスライドする軸受を支持し、軸受は中心軸と並んで配置する、内部エラストマー軸受支持アセンブリと、を含む。好ましい実施形態において、中心軸シャフトは軸受に沿って移動し、ポンプは、高振幅移動で低振動数範囲における高いレベルのダンピングと比較して、低振幅振動で高振動数範囲における低いレベルのダンピングで液体をくみ上げる。
【０００５】
一実施形態において、本発明は、車両キャブサスペンションマウントを製造する方法を含む。その方法は、第１の外側コンテナ部材を設ける工程を含む。その方法は、非エラストマー中心軸シャフトと外側エラストマーのフレキシブルなシールキャップであって、前記外側エラストマーキャップは前記第１の外側コンテナ部材に対して半径方向外側に配置され、前記非エラストマー中心軸シャフトは、シャフト軸に沿って前記第１の外側コンテナ部材の内側に長手方向に延び、前記非エラストマー中心シャフトは端部を有する、非エラストマー中心軸シャフトと外側エラストマーのフレキシブルなシールキャップとを設ける。その方法は、前記非エラストマー中心シャフトの端部に近接してサスペンションマウントダンピング液体ダンパポンプ部材を配置する工程を含む。その方法は、前記サスペンションマウントダンピング液体ダンパポンプ部材と前記第２の外側キャップ部材との間で前記第１の外側コンテナ部材に内部エラストマー軸受支持アセンブリを設ける工程を含み、前記内部エラストマー軸受支持アセンブリは、内部非エラストマー基礎部材に結合された内部エラストマー部材を備え、前記内部非エラストマー基礎部材は、前記内部エラストマー部材を前記第１の外側コンテナ部材に配置し、前記内部エラストマー部材は、前記非エラストマー中心シャフトのためのスライドする軸受を支持し、前記軸受は前記非エラストマー中心軸シャフト軸と並んで配置し、前記非エラストマー中心軸シャフトは前記軸受に沿って移動する。その方法は、前記第１の外側コンテナ部材を車両キャブサスペンションマウントダンピング液体に充填する工程を含み、前記非エラストマー中心軸シャフトが前記軸受に沿って移動する場合、前記サスペンションマウントダンピング液体ダンパポンプ部材は、前記車両キャブサスペンションマウントダンピング液体をくみ上げる。
【０００６】
一実施形態において、本発明は車両キャブサスペンションマウントを製造する方法を含み、その方法は、第１の外側コンテナ部材を設ける工程と、非エラストマー中心軸シャフトと外側エラストマーのフレキシブルなシールキャップとを設ける工程であって、外側エラストマーキャップは第１の外側コンテナ部材に対して半径方向外側に配置され、非エラストマー中心軸シャフトはシャフト軸に沿って第１の外側コンテナ部材の内側に長手方向に延び、非エラストマー中心シャフトは端部を有する、工程と、非エラストマー中心シャフトの端部に近接してサスペンションマウントダンピング液体ダンパポンプ部材を配置する工程と、サスペンションマウントダンピング液体ダンパポンプ部材と外側キャップ部材との間で第１の外側コンテナ部材に内部エラストマー中間体アセンブリを設ける工程であって、内部エラストマーアセンブリは、内部非エラストマー基礎部材に結合された内部エラストマー部材を備え、内部エラストマー基礎部材は、内部エラストマー部材を第１の外側コンテナ部材に配置し、内部エラストマー部材は、コンテナ基礎部材の内側からシャフトに対して内側に延びる、工程と、第１のフレキシブルなシールキャップチャンバと第２の可動式ダンピングポンプチャンバを設けるために、フレキシブルなシールキャップから可動式ダンピングポンプを分離する工程であって、内部エラストマーアセンブリが、可動式ダンピングポンプからフレキシブルなシールキャップへの方向、かつフレキシブルなシールキャップから可動式ダンピングポンプへの反対方向の液体の流れを可能にするために、第１のフレキシブルなシールキャップチャンバと第２の可動式ダンピングポンプチャンバとの間に少なくとも１つの第１の液体流導管を有し、少なくとも１つの第１の液体流導管は、非エラストマー中心軸シャフトから遠位にある、工程と、第１の外側コンテナ部材を車両キャブサスペンションマウントダンピング液体で充填する工程であって、前記サスペンションマウントダンピング液体ダンパポンプ部材は、車両キャブサスペンションマウントダンピング液体をくみ上げ、液体は、非エラストマー中心軸シャフトから遠位にある第１の液体導流管を通して流れる、工程とを含む。
【０００７】
一実施形態において、本発明はサスペンションマウントを含み、そのサスペンションマウントは、第１の外側コンテナ部材と、非エラストマー中心軸シャフトと、第１の外側コンテナ部材と非エラストマー中心軸シャフトとの間の相対的動作を制御するための手段とを備える。
【０００８】
一実施形態において、本発明は、図示し、記載されるように、サスペンションマウントを含み、そのサスペンションマウントは、第１の外側コンテナ部材と、非エラストマー中心軸シャフトと、第１の外側コンテナ部材と非エラストマー中心軸シャフトとの間の相対的動作を制御するための手段とを備える。
【０００９】
上述の概要および以下の詳細な説明の両方は本発明の例示であり、特許請求される本発明の性質および特徴を理解するための要約または構成を提供することを意図することは理解される。添付の図面は本発明のさらなる理解を提供することを含み、本明細書に援用され、かつ本明細書の一部を構成する。図面は本発明の種々の実施形態を示し、詳細な説明とともに本発明の原理および動作を説明するのに役立つ。
【図面の簡単な説明】
【００１０】
【図１Ａ】図１Ａは、第１の本体の構造体と第２の本体の構造体との間の車両キャブサスペンション液体マウントを示す。
【図１Ｂ】図１Ｂは、第１の本体の構造体と第２の本体の構造体との間の車両キャブサスペンション液体マウントを示す。
【図２】図２は、車両サスペンション液体マウントにおいて第１の車両本体の構造体と第２の車両本体の構造体との間の相対的動作から液体流導管を通る液体の流れを示す。
【図３】図３は、サスペンション液体マウントを示す。
【図４Ａ】図４Ａは、車両サスペンション液体マウントを示す。
【図４Ｂ】図４Ｂは、車両サスペンション液体マウントを示す。
【図４Ｃ】図４Ｃは、車両サスペンション液体マウントを示す。
【図４Ｄ】図４Ｄは、車両サスペンション液体マウントを示す。
【図５Ａ】図５Ａは、内部非エラストマー基礎部材と液体流導管を有する、アセンブリに結合される液体マウント内部エラストマーの中間体のモールドを示す。
【図５Ｂ】図５Ｂは、内部非エラストマー基礎部材と液体流導管を有する、アセンブリに結合される液体マウント内部エラストマーの中間体のモールドを示す。
【図５Ｃ】図５Ｃは、内部非エラストマー基礎部材と液体流導管を有する、アセンブリに結合される液体マウント内部エラストマーの中間体のモールドを示す。
【図５Ｄ】図５Ｄは、内部非エラストマー基礎部材と液体流導管を有する、アセンブリに結合される液体マウント内部エラストマーの中間体のモールドを示す。
【図５Ｅ】図５Ｅは、内部非エラストマー基礎部材と液体流導管を有する、アセンブリに結合される液体マウント内部エラストマーの中間体のモールドを示す。
【図５Ｆ】図５Ｆは、内部非エラストマー基礎部材と液体流導管を有する、アセンブリに結合される液体マウント内部エラストマーの中間体のモールドを示す。
【図５Ｇ】図５Ｇは、内部非エラストマー基礎部材と液体流導管を有する、アセンブリに結合される液体マウント内部エラストマーの中間体のモールドを示す。
【図５Ｈ】図５Ｈは、内部非エラストマー基礎部材と液体流導管を有する、アセンブリに結合される液体マウント内部エラストマーの中間体のモールドを示す。
【図５Ｉ】図５Ｉは、内部非エラストマー基礎部材と液体流導管を有する、アセンブリに結合される液体マウント内部エラストマーの中間体のモールドを示す。
【図６Ａ】図６Ａは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図６Ｂ】図６Ｂは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図６Ｃ】図６Ｃは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図６Ｄ】図６Ｄは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図６Ｅ】図６Ｅは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図６Ｆ】図６Ｆは、外側コンテナ部材に半径方向に配置するための外側エラストマーキャップを有する、アセンブリに結合される液体マウント外側エラストマーのフレキシブルなシールキャップの非エラストマー中心軸シャフトのモールドを示す。
【図７Ａ】図７Ａは、外側コンテナ部材を示す。
【図７Ｂ】図７Ｂは、外側コンテナ部材を示す。
【図７Ｃ】図７Ｃは、外側コンテナ部材を示す。
【図７Ｄ】図７Ｄは、外側コンテナ部材を示す。
【図７Ｅ】図７Ｅは、外側コンテナ部材を示す。
【図７Ｆ】図７Ｆは、外側コンテナ部材を示す。
【図８Ａ】図８Ａは、バイアススプリング部材を示す。
【図８Ｂ】図８Ｂは、バイアススプリング部材を示す。
【図８Ｃ】図８Ｃは、バイアススプリング部材を示す。
【図８Ｄ】図８Ｄは、バイアススプリング部材を示す。
【図９Ａ】図９Ａは、サスペンションマウントダンピング液体ダンパポンプ部材を示す。
【図９Ｂ】図９Ｂは、サスペンションマウントダンピング液体ダンパポンプ部材を示す。
【図９Ｃ】図９Ｃは、サスペンションマウントダンピング液体ダンパポンプ部材を示す。
【図１０】図１０は、サスペンション液体マウントを製造および組み立てる方法ならびに組み立てられた液体マウントを示す。
【図１１】図１１は、サスペンション液体マウントを製造および組み立てる方法ならびに組み立てられた液体マウントを示す。
【図１２】図１２は、サスペンション液体マウントを製造および組み立てる方法ならびに組み立てられた液体マウントを示す。
【図１３】図１３は、サスペンション液体マウントを製造および組み立てる方法ならびに組み立てられた液体マウントを示す。
【図１４】図１４は、車両サスペンション液体マウントを示す。
【図１５】図１５は、車両サスペンション液体マウントを示す。
【図１６】図１６は、低摩擦軸受と直接接触するシャフトのＯＤ面を有する車両サスペンション液体マウントを示す。
【図１７Ａ】図１７Ａは、低摩擦軸受と直接接触するシャフトＯＤ面を有するサスペンション液体マウントを示す。
【図１７Ｂ】図１７Ｂは、低摩擦軸受と直接接触するシャフトＯＤ面を有するサスペンション液体マウントを示す。
【図１７Ｃ】図１７Ｃは、低摩擦軸受と直接接触するシャフトＯＤ面を有するサスペンション液体マウントを示す。
【図１７Ｄ】図１７Ｄは、低摩擦軸受と直接接触するシャフトＯＤ面を有するサスペンション液体マウントを示す。
【発明を実施するための形態】
【００１１】
本発明のさらなる特徴および利点は以下の詳細な説明に記載され、一部分においてはその詳細な説明から当業者に容易に明らかになり、以下の詳細な説明、特許請求の範囲、および添付の図面を含む、本明細書に記載されるように本発明を実施することによって理解されるだろう。
【００１２】
参照が、ここで、本発明の現在好ましい実施形態に対して詳細になされ、その例を添付の図面に例示する。
【００１３】
一実施形態において、本発明は、第１の車両本体の構造体（２２）と第２の車両本体の構造体（２４）とを接続するための車両のキャブサスペンションマウント構造物（２０）を含む。マウント（２０）は第１の外側コンテナ部材（２６）を備え、その第１の外側コンテナ部材（２６）は好ましくは第１の車両本体の構造体（２２）を接続するためのフランジおよび接続機構を備え、好ましくは第１の外側コンテナ部材（２６）を第１の車両本体の構造体（２２）に接続かつ固定するための固定穴を備え、好ましくは第１の外側コンテナ部材（２６）は金属から形成され、好ましくは第１の外側コンテナ部材（２６）は鋼のコンテナ部材から構成される。
【００１４】
マウント（２０）は第２の外側キャップ部材（２８）を備え、その第２の外側キャップ部材（２８）は非エラストマーの中心軸シャフト（３０）および外側エラストマーキャップ（３２）を有し、その外側エラストマーキャップ（３２）は第１の外側コンテナ部材（２６）に対して半径方向外側に配置され、非エラストマーの中心軸シャフト（３０）は、シャフト軸（３６）に沿って第１の外側コンテナ部材の内側に長手方向に延び、非エラストマーの中心シャフト（３０）は、外側エラストマーキャップ（３２）から遠位にある端部（３８）を有する。好ましくは中心シャフトは、第１のシャフト端部（４０）において外側エラストマーキャップに結合され、好ましくは外側エラストマーキャップは内径内で半径方向内側に向いており、その外側エラストマーキャップは好ましくは、外側非エラストマー基礎部材（３４）の半径方向外側で外側非エラストマーキャップに結合され、外側エラストマーキャップは外側シャフト直径の半径方向外側にある。好ましくは、非エラストマー中心シャフト（３０）は、第２の車両本体の構造体（２４）を接続するための接続機構を備える。
【００１５】
第１の外側コンテナ部材（２６）および第２の外側キャップ部材（２８）はサスペンションマウントダンピング液体を含有する。
【００１６】
マウント（２０）は、サスペンションマウントダンピング液体ダンパポンプ部材（４２）を備え、そのサスペンションマウントダンピング液体ダンパポンプ部材（４２）は、端部（３８）に近接する非エラストマー中心シャフト（３０）に固定される。サスペンションマウントダンピング液体ダンパポンプ部材（４２）はまた、好ましくは、スプリング（４４）を受容する。サスペンションマウントダンピング液体ダンパポンプ部材（４２）は好ましくは、カップ内部（４６）に受容されるスプリングを備えたカップ状の部材であり、好ましくはボルトスペーサー（４８）およびボルト（５０）はカップ内部内の端部に結合される。
【００１７】
マウント（２０）は、サスペンションマウントダンピング液体ダンパポンプ部材（４２）と第２の外側キャップ部材（２８）との間に、第１の外側コンテナ部材（２６）に配置される内部エラストマー軸受支持アセンブリ（５２）を備え、その内部エラストマー軸受支持アセンブリ（５２）は、内部非エラストマー基礎部材（５６）と結合された内部エラストマー部材（５４）を備え、その内部非エラストマー外側基礎部材は、内部エラストマー部材を第１の外側コンテナ部材（２６）に配置し、内部エラストマー部材（５４）は、非エラストマー中心シャフト（３０）の軸受面（６０）に対してスライドする低摩擦軸受（５８）を支持し、低摩擦軸受は非エラストマー中心軸シャフト軸（３６）と並んで配置され、非エラストマー中心軸シャフト（３０）は低摩擦軸受（５８）に沿って移動し、サスペンションマウントダンピング液体ダンパポンプ部材（４２）はサスペンションマウントダンピング液をくみ上げる。
【００１８】
車両サスペンションマウントはバイアスコイルスプリング部材（４４）を備え、そのコイルスプリングは非エラストマー中心シャフトの端部と第１の外側コンテナ部材との間に配置される。好ましくは、バイアスコイルスプリング部材４４は、ダンピングカップポンプ４２と第１の外側コンテナ部材２６の底の末端との間に配置される。好ましくは、バイアス部材４４はコイルスプリング４４から構成される。
【００１９】
車両サスペンションマウントは、カップ内部（４６）を有するサスペンションマウントダンピング液体ダンパポンプのカップ状部材から構成されるサスペンションマウントダンピング液体ダンパポンプを備える。好ましくは、マウントはサスペンションバイアススプリング部材（４４）を備え、そのバイアススプリング部材（４４）は非エラストマー中心シャフトの端部（３８）と第１の外側コンテナ部材との間に配置され、そのバイアススプリング部材（４４）はカップ内部（４６）に受容される。好ましくは、マウントは、サスペンションマウントダンピング液体ダンパポンプのカップ状部材をシャフトに固定するボルト（５０）およびボルトスペーサー（４８）を備え、そのボルトおよびボルトスペーサーはカップ内部に受容される。好ましくは、マウントは、サスペンションマウントダンピング液体ダンパポンプのカップ状部材をシャフトに固定するボルトおよびボルトスペーサーと、サスペンションスプリングとを備え、そのボルト、ボルトスペーサー、およびサスペンションスプリングはカップ内部に受容される。
【００２０】
車両サスペンションマウント低摩擦軸受（５８）は好ましくは、乾燥金属ポリマー軸受、好ましくは金属で裏打ちされたポリマー軸受から構成され、好ましくはその金属は鋼である。車両サスペンションマウント低摩擦軸受（５８）は好ましくは、低い摩擦係数（ＣＯＦ）、好ましくは１以下、好ましくは０．５以下、好ましくは０．２以下、好ましくは０．１以下を有する。好ましくは、鋼基材は、充填されるＰＴＦＥベースのポリマー軸受裏打ち材料で含浸され、覆われる多孔質のブロンズ焼結層に結合され、好ましくは低摩擦軸受（５８）は、好ましくは、ＤＵ乾燥ポリマー軸受、好ましくはＧａｒｌｏｃｋ製のＤＵ（登録商標）軸受から構成される。車両サスペンションマウントの低摩擦軸受（５８）は好ましくは、金属で裏打ちされたポリテトラフルオロエチレン軸受から構成される。車両サスペンションマウントの低摩擦軸受（５８）は好ましくは、低い摩擦軸受であり、好ましくは低摩擦スライド面、好ましくはシャフトの作動のための非エラストマー軸受面を有する。
【００２１】
車両サスペンションマウントは、結合された非エラストマー管状軸受レシーバ（６４）を備え、その結合された非エラストマー管状軸受レシーバ（６４）は、内部エラストマー部材（５４）の内周に結合され、ここで、低摩擦軸受（５８）は、結合された非エラストマー管状軸受レシーバ（６４）に受容される。
【００２２】
好ましくは、非エラストマー中心シャフト（３０）の軸受面（６０）は、軸受面管状部材（６６）の外径面（６０）から構成され、その軸受面管状部材は、非エラストマー中心シャフト（３０）の部分の外径と適合する内径を有する。代替の好ましい実施形態において、非エラストマー中心シャフト（３０）の軸受面（６０）はシャフト自体の外径面（６０）から構成される。図１６〜１７に示すような代替の好ましい実施形態において、シャフト（３０）は、軸受面管状部材（６６）を用いずに、低摩擦軸受（５８）とそのシャフトの表面（６０）とを直接係合する。
【００２３】
好ましくは、車両サスペンションマウントは結合された非エラストマー管状軸受レシーバ（６４）を備え、その結合された非エラストマー管状軸受レシーバ（６４）は内部エラストマー部材の内周に結合され、ここで、低摩擦軸受（５８）は結合された非エラストマー管状軸受レシーバ（６４）内に受容され、非エラストマー中心シャフト（３０）の軸受面（６０）は、軸受面管状部材（６６）の外径面から構成され、その軸受面管状部材（６６）は、非エラストマー中心シャフト（３０）の部分の外径と適合した内径を有する。代替の好ましい実施形態において、結合されていない非エラストマー管状軸受レシーバ（６４）内の非エラストマー管状軸受レシーバ（６４）は、内部エラストマー部材の内周に結合されない。このような代替の好ましい実施形態に関して、結合していない非エラストマー管状軸受レシーバ（６４）は、内部エラストマー部材の内周に物理的に保持され、好ましくは結合していない非エラストマー管状軸受レシーバ（６４）は、物理的に内部に挿入される内部エラストマー部材の硬化成形されたエラストマーＩＤの内周より大きいＯＤを有する。図１７は、より大きいＯＤの非エラストマー管状軸受レシーバ（６４）が好ましくは、物理的に内部に挿入される内部エラストマー部材の硬化成形されたエラストマーの小さいＩＤの内周に結合されない実施形態を例示する。図１７の結合された好ましい実施形態において、非エラストマー管状軸受レシーバ（６４）は内部エラストマー部材の内周に結合される。
【００２４】
好ましくは、内部非エラストマー基礎部材（５６）は、半径方向内側に延びるフランジプレート（６８）および実質的に垂線軸に延びる延長部（７０）を備え、好ましくはその延長部（７０）はキャップから離れて、かつポンプに対して軸方向に延び、好ましくはシャフト軸と並んで配置され、エラストマーが軸延長部と軸受レシーバとの間にあり、好ましくは軸延長部と結合された軸受レシーバとの間にエラストマー管状部分の形状がある。
【００２５】
一実施形態において、本発明は、車両サスペンションマウント２０を製造する方法を含む。
【００２６】
一実施形態において、本発明は、車両キャブサスペンション液体マウントおよびそのような液体マウントを製造する方法を含み、前記液体マウントはマウントフランジを有するカップハウンジングを備える。液体マウントは、上端部および下端部を有する中心軸シャフトを備え、その中心軸シャフトはカップハウジングの中心軸に沿って配置される。液体マウントは、シャフトの上端部とカップハウジングとの間で液体を漏らさずに密封するフレキシブルなシールカップを備える。液体マウントは高粘性液体、好ましくは１０，０００センチストークより大きい（好ましくは２０，０００より大きい、３０，０００より大きい、４０，０００より大きい、５０，０００より大きい、好ましくは５０，０００〜１５０，０００ｃＳｔ、好ましくは５０，０００〜７０，０００センチストークの範囲、好ましくはシリコーン液体）高粘性液体を含有する。液体マウントは、シャフトの下端部に取り付けられ、かつ、高粘性液体中にある可動式ダンピングポンプを備える。液体マウントは、カップハウジングの底と可動式ダンピングポンプとの間に配置されたスプリングを備える。液体マウントは、ハウジングにおいてダンピングポンプとフレキシブルなシールキャップ（２８）との間に配置された内部エラストマー軸受支持アセンブリを備え、その内部エラストマー軸受支持アセンブリは、可動式ダンピングポンプからフレキシブルなシールキャップへの方向、かつフレキシブルなシールキャップから可動式ダンピングポンプへの反対方向の液体の流れを可能にするために少なくとも１つの第１の液体流導管（７２）を有し、内部エラストマー軸受支持アセンブリは、内部非エラストマー基礎部材に結合された内部エラストマー部材を備え、その内部非エラストマー基礎部材は、内部エラストマー部材をハウジング（２６）に配置し、その内部エラストマー部材は、中心シャフト（３０）の軸受面に対してスライドする軸受（６８）を支持し、その軸受は中心軸と並んで配置され、その中心軸シャフトは軸受に沿って移動し、ポンプは、好ましくは高振幅移動で低振動数範囲における高いレベルのダンピングと比較して、低振幅振動で高振動数範囲における低いレベルのダンピングで液体をくみ上げる。好ましくは、高振動数および低振幅でのダンピングが低減される。好ましくは、液体マウントの少なくとも１つの第１の液体流導管（７２）は、複数の分配された導管を備え、液体はその導管７２を通って流れる。好ましくは、本発明は、直径などの様々な導管のオリフィスサイズを有する方法およびシステムを含み、高振動数に調節および調整し、調整された高振動数において低振幅振動の分離を調整するためにサイズを変化させる。好ましくは、このような車両キャブサスペンション液体マウントを製造する方法は、振動数を調節／調整するために導管の流量を調節することを含み、低振幅で高振動数のダンピングを低減させる。
【００２７】
一実施形態において、本発明は車両キャブサスペンション液体マウントを製造することを含む。その方法は第１の外側コンテナ部材を設けることを含む。その方法は、非エラストマー中心軸シャフトおよび外側エラストマーのフレキシブルなシールキャップを設けることを含み、その外側エラストマーキャップは第１の外側コンテナ部材に対して半径方向外側に配置され、非エラストマー中心軸シャフトは、シャフト軸に沿って第１の外側コンテナ部材の内側に長手方向に延び、非エラストマー中心シャフトは端部を有する。
【００２８】
その方法は、非エラストマー中心シャフト端部に近接してサスペンションマウントダンピング液体ダンパポンプ部材を配置することを含む。
【００２９】
その方法は、第１の外側コンテナ部材においてサスペンションマウントダンピング液体ダンパポンプ部材と第２の外側キャップ部材との間に内部エラストマー軸受支持アセンブリを設けることを含み、その内部エラストマー軸受支持アセンブリは、内部非エラストマー基礎部材に結合された内部エラストマー部材を備え、その内部非エラストマー基礎部材は、内部エラストマー部材を第１の外側コンテナ部材に配置し、その内部エラストマー部材は、非エラストマー中心シャフトのためのスライドする軸受を支持し、その軸受は非エラストマー中心軸のシャフト軸と並んで配置され、その非エラストマー中心軸のシャフトは軸受に沿って移動する。
【００３０】
その方法は、第１の外側コンテナ部材を車両キャブサスペンションマウントダンピング液体で充填することを含み、ここで、そのサスペンションマウントダンピング液体ダンパポンプ部材は、非エラストマー中心軸シャフトが軸受に沿って移動する場合、車両キャブサスペンションマウントダンピング液体をくみ上げる。
【００３１】
その方法はコイルスプリングを設けること、および非エラストマー中心シャフトの端部と第１の外側コンテナ部材との間にコイルスプリングを配置することを含む。
【００３２】
好ましくは、サスペンションマウントダンピング液体ダンパポンプは、カップ内部（４６）を有するサスペンションマウントダンピング液体ダンパポンプのカップ状の部材から構成される。
【００３３】
その方法はスプリング（４４）を設けることを含み、そのスプリング（４４）は、非エラストマー中心シャフトの端部（３８）と第１の外側コンテナ部材との間に配置され、そのスプリング（４４）はカップ内部（４６）に受容される。好ましくは、その方法は、ボルト（５０）とボルトスペーサー（４８）とを設けることを含み、サスペンションマウントダンピング液体ダンパポンプのカップ状の部材はボルトおよびボルトスペーサーでシャフトに固定され、そのボルトおよびボルトスペーサーはカップ内部に受容される。好ましくは、その方法は、サスペンションマウントダンピング液体ダンパポンプのカップ状の部材をシャフトに固定するボルトおよびボルトスペーサーを備え、サスペンションスプリング、ボルト、ボルトスペーサーはカップ内部に受容される。
【００３４】
好ましい方法およびマウントアセンブリは、図１０〜１５に例示される。好ましくは、コンテナ２６は穴を有さず、つまりリベットまたは他のそのような埋め込み部材などのプラグ部材で栓をすることを必要とする穴がなく、特にスプリングおよび中心軸３６に近接するコンテナの底は穴がない。好ましくは、スプリング４４はコンテナに配置され、中心軸３６に沿って配置され、コンテナはマウントダンピング液体１００で満たされる。好ましくは、そのような液体コンテナアセンブリの方法は、内部の真空チャンバアセンブリまたはいくつかの種類の圧力容器などの真空を適用せずに通常大気条件下で行われる。図１１に示すように、キャップ部材の中心シャフト、軸受、軸受支持アセンブリ部材、およびポンプ部材に関するマウントのバランスは、好ましくは、ボルトおよびボルトスペーサーと一緒に組み立てられて、すでにスプリングおよび液体を含む、コンテナに充填される液体を下方に挿入するためのキャブサスペンションが提供される。組み立てによりコンテナに充填される液体が下方に挿入される場合、好ましくは、キャブサスペンションの組み立ては、空気ガスを外に出すための空気ガスを外に出す導管１０２を備える。好ましくは、組み立てられたマウント内部の非固体の空き領域は、液体で少なくとも９０％充填されており、より好ましくは液体で少なくとも９４％充填されており、好ましくは、液体は９６％〜９８％の組み立てられたマウント内部の非固体の空き領域を含み、空気ガスでバランスが取られる。好ましくは、ガスを外に出す導管１０２は、非エラストマー中心シャフト部材３０、最も好ましくは遠位部に形成され、軸３６からオフセットし、好ましくはダボピンプラグ穴９０を通して形成される。好ましくは、ガスを外に出す導管１０２は、穴９０に圧入される回転防止ダボプラグ非エラストマー鋼金属ピン９２によって栓をされる。代替の好ましい実施形態において、粘着性シーラントが、ガスが外に出て行く導管１０２に栓をするために回転防止ダボプラグピン９２に加えて使用される。好ましくは、非エラストマー中心シャフト３０は、外側エラストマーキャップ３２に結合され、湾曲したシャフトエラストマーは接触面３１に結合し、最も好ましくは球状に湾曲したシャフトエラストマーは、図１４および図１５に示すように接触面３１に結合する。
【００３５】
その方法は、乾燥金属ポリマー軸受、好ましくは金属で裏打ちされ、好ましくは鋼で裏打ちされ、好ましくは充填されるＰＴＦＥベースのポリマー軸受裏打ち材料で含浸され、覆われる結合された多孔質のブロンズ焼結層から構成されるスライドする軸受を設けることを含む。好ましくは、スライドする軸受はＤＵ乾燥ポリマー軸受として設けられる。好ましくは、スライドする軸受は、金属で裏打ちされたポリテトラフルオロエチレン軸受である。
【００３６】
その方法は、結合された非エラストマー管状軸受レシーバを備える非エラストマー中心シャフトのためのスライドする軸受を支持する内部エラストマー部材を設けることを含み、その結合された非エラストマー管状軸受レシーバは内部エラストマー部材の内周に結合され、ここで、スライドする軸受は結合された非エラストマー管状軸受レシーバに受容される。好ましくは、非エラストマー中心シャフトは軸受面管状部材を備え、その軸受面管状部材は外径軸受面を有し、内径は非エラストマー中心シャフトの部分の外径と適合し、非エラストマー中心シャフト軸受面管状部材の外径軸受面はスライドする軸受に沿ってスライドする。
【００３７】
その方法は、結合された非エラストマー管状軸受レシーバ（６４）を設けることを含み、その結合された非エラストマー管状軸受レシーバ（６４）は内部エラストマー部材の内周に結合され、軸受（５８）は結合された非エラストマー管状軸受レシーバ（６４）に受容され、非エラストマー中心シャフト（３０）は軸受面管状部材から構成され、その軸受面管状部材は外径軸受面を有し、内径は非エラストマー中心シャフトの部分の外径と適合し、その軸受面管状部材の外径軸受面の軸受面は軸受に沿ってスライドする。
【００３８】
その方法は、半径方向内側に延びるフランジプレート（６８）および実質的に垂線軸に延びる延長部を備える内部非エラストマー基礎部材（５６）を設けることを含む。
【００３９】
その方法は、可動式ダンピングポンプからフレキシブルなシールキャップに対する方向、かつフレキシブルなシールキャップから可動式ダンピングポンプに対する反対方向の液体の流れを可能にするために、内部エラストマー軸受支持アセンブリに少なくとも１つの第１の液体流導管（７２）を設けることを含み、そのシャフトは、好ましくは高振幅移動で低振動数範囲における高いレベルのダンピングと比較して、低振幅振動で高振動数範囲における低いレベルのダンピングで液体をくみ上げるポンプとともに軸受に沿って移動する。好ましくは、低振幅減結合を与えるために高振動数範囲を調整するために設けられた少なくとも１つの第１の液体流導管のオリフィスのサイズを調節することを含む。一実施形態において、内部エラストマー軸受支持アセンブリにおける少なくとも１つの第１の流導管（７２）を設けることは、可動式ダンピングポンプからフレキシブルなシールキャップに対する方向、かつフレキシブルなシールキャップから可動式ダンピングポンプに対する反対方向の液体の流れを可能にするために、内部エラストマー軸受支持アセンブリに単一のオリフィス導管を設けることを含む。一実施形態において、可動式ダンピングポンプからフレキシブルなシールキャップに対する方向、かつフレキシブルなシールキャップから可動式ダンピングポンプに対する反対方向の液体の流れを可能にするために、内部エラストマー軸受支持アセンブリ内に単一のオリフィス導管を設けることは、全ての他の残存しているオリフィスに栓をすることを含む。
【００４０】
一実施形態において、本発明は、車両サスペンションマウントおよびそのマウントを製造する方法を含む。マウントは、中心軸シャフト上のサスペンションマウントダンピング液体ダンパポンプ部材によって移動されるマウントダンパ液を含む外側コンテナを備える。マウントは、外側コンテナにおいてサスペンションマウントダンピング液体ダンパポンプ部材と外側キャップ部材との間に配置される内部エラストマー軸受支持アセンブリを備える。マウントは好ましくは、内部エラストマー部材を外側コンテナに配置するための内部エラストマー軸受支持アセンブリを備え、内部エラストマー部材は中心シャフトの軸受面に対してスライドする軸受を支持し、軸受は非エラストマー中心軸のシャフト軸と並んで配置され、非エラストマー中心軸のシャフトは軸受に沿って移動し、サスペンションマウントダンピング液体ダンパポンプ部材はサスペンションマウントダンピング液体をくみ上げる。
【００４１】
一実施形態において、本発明は液体マウントおよびそのマウントを製造する方法を含む。マウントは、上端部および下端部を有する中心軸のシャフトを備え、中心軸のシャフトはカップハウジングの中心軸に沿って配置され、フレキシブルなシールキャップは、シャフトの上端部とカップハウジングとの間で流体を漏らさずに密封し、高粘性の液体であり、可動式ダンピングポンプがシャフトの下端部に、高粘性の液体中で取り付けられ、スプリングはカップハウジングの底と可動式ダンピングポンプとの間に配置され、内部エラストマー軸受支持アセンブリは、ダンピングポンプとフレキシブルなシールキャップとの間でハウジングに配置され、内部エラストマー軸受支持アセンブリは、可動式ダンピングポンプからフレキシブルなシールキャップに対する方向、かつフレキシブルなシールキャップから可動式ダンピングポンプに対する反対方向の液体の流れを可能にするために、少なくとも１つの第１の液体流導管を有し、内部エラストマー軸受支持アセンブリは内部非エラストマー基礎部材に結合された内部エラストマー部材を備え、内部非エラストマー基礎部材は内部エラストマーをハウジングに配置し、その内部エラストマー部材は中心シャフト軸受面に対してスライドする軸受を支持し、軸受は中心軸と並んで配置される。好ましい実施形態において、中心軸のシャフトは軸受に沿って移動し、ポンプは、高振幅移動で低振動数範囲における高いレベルのダンピングと比較して、低振幅振動で高振動数範囲における低いレベルのダンピングで液体をくみ上げる。
【００４２】
一実施形態において、本発明は、車両キャブサスペンションマウントを製造する方法を含む。その方法は、第１の外側コンテナ部材を設けることを含む。その方法は、非エラストマー中心軸のシャフトおよび外側エラストマーのフレキシブルなシールキャップを設けることを含み、前記外側エラストマーキャップは、前記第１の外側コンテナ部材に対して半径方向外側に配置され、前記非エラストマー中心軸のシャフトは、シャフト軸に沿って前記第１の外側コンテナ部材の内側に長手方向に延在し、前記非エラストマー中心シャフトは端部を有する。その方法は、前記非エラストマー中心シャフト端部に近接してサスペンションマウントダンピング液体ダンパポンプ部材を配置することを含む。その方法は、前記第１の外側コンテナ部材において前記サスペンションマウントダンピング液体ダンパポンプ部材と前記第２の外側キャップ部材との間に内部エラストマー軸受支持アセンブリを設けることを含み、前記内部エラストマー軸受支持アセンブリは、内部非エラストマー基礎部材に結合された内部エラストマー部材を備え、前記内部非エラストマー基礎部材は、前記エラストマー部材を前記第１の外側コンテナ部材に配置し、前記第１の外側コンテナ部材を有する前記エラストマー部材の基礎となり、前記内部エラストマー部材は前記非エラストマー中心シャフトのためのスライドする軸受を支持し、前記軸受は前記非エラストマー中心軸のシャフト軸と並んで配置され、前記非エラストマー中心軸のシャフトは前記軸受に沿って移動する。その方法は、前記第１の外側コンテナ部材に車両キャブサスペンションマウントダンピング液を充填することを含み、前記サスペンションマウントダンピング液体ダンパポンプ部材は、前記非エラストマー中心軸シャフトが前記軸受に沿って移動する場合、前記車両キャブサスペンションマウントダンピング液体をくみ上げる。
【００４３】
一実施形態において、本発明は、車両キャブサスペンションマウントを製造する方法を含み、その方法は、第１の外側コンテナ部材を設ける工程と、非エラストマー中心軸シャフトおよび外側エラストマーのフレキシブルなシールキャップを設ける工程と、その外側エラストマーキャップは第１の外側コンテナ部材に対して半径方向外側に配置され、非エラストマー中心軸シャフトは、シャフト軸に沿って第１の外側コンテナ部材の内側に長手方向に延びる工程と、非エラストマー中心シャフトは端部を有し、非エラストマー中心シャフト端部に近接してサスペンションマウントダンピング液体ダンパポンプ部材を配置する工程と、第１の外側コンテナ部材においてサスペンションマウントダンピング液体ダンパポンプ部材と外側キャップ部材との間に内部エラストマー中間体アセンブリを設ける工程であって、その内部エラストマーアセンブリは、内部非エラストマー基礎部材に結合された内部エラストマー部材を備え、その内部非エラストマー基礎部材は、内部エラストマー部材を第１の外側コンテナ部材に配置し、その内部エラストマー部材は、コンテナ基礎部材の内側からシャフトに対して内側に延び、フレキシブルなシールキャップから可動式ダンピングポンプを分離して、第１のフレキシブルなシールキャップチャンバと第２の可動式ダンピングポンプチャンバを設け、その内部エラストマーアセンブリは、可動式ダンピングポンプからフレキシブルなシールキャップに対する方向、かつフレキシブルなシールキャップから可動式ダンピングポンプに対する反対方向の液体の流れを可能にするために、第１のフレキシブルなシールキャップチャンバと第２の可動式ダンピングポンプチャンバとの間に少なくとも１つの第１の液体流導管を有し、少なくとも１つの第１の液体流導管は、非エラストマー中心軸シャフトから遠部にある工程と、第１の外側コンテナ部材を車両キャブサスペンションマウントダンピング液体で充填する工程とを含み、サスペンションマウントダンピング液体ダンパポンプ部材は、車両キャブサスペンションマウントダンピング液体をくみ上げ、液体は非エラストマー中心軸シャフトから遠部の第１の液体流導管を通じて流れる。
【００４４】
一実施形態において、本発明はサスペンションマウントを含み、そのサスペンションマウントは、第１の外側コンテナ部材と、非エラストマー中心軸シャフトと、第１の外側コンテナ部材と非エラストマー中心軸シャフトとの間の相対的作動を制御するための手段とを備える。
【００４５】
一実施形態において、本発明はサスペンションマウントを含み、そのサスペンションマウントは、図示して記載するように、第１の外側コンテナ部材と、非エラストマー中心軸シャフトと、第１の外側コンテナ部材と非エラストマー中心軸シャフトとの間の相対的作動を制御するための手段とを備える。
【００４６】
様々な修飾および変更が、本発明の精神および範囲から逸脱せずに本発明に対してなされ得ることは当業者に明らかであろう。従って、本発明の修飾および変更が添付の特許請求の範囲およびそれらの等価物の範囲内である場合、本発明はそれらを含むことが意図される。特許請求の範囲における異なる用語または語句の範囲は、同じまたは異なる構造または工程によって満たされ得ることが意図される。
【図１Ａ】
2011521176.tif 000003
【図１Ｂ】
2011521176.tif 000004
【図２】
2011521176.tif 000005
【図３】
2011521176.tif 000006
【図４Ａ】
2011521176.tif 000007
【図４Ｂ】
2011521176.tif 000008
【図４Ｃ】
2011521176.tif 000009
【図４Ｄ】
2011521176.tif 000010
【図５Ａ】
2011521176.tif 000011
【図５Ｂ】
2011521176.tif 000012
【図５Ｃ】
2011521176.tif 000013
【図５Ｄ】
2011521176.tif 000014
【図５Ｅ】
2011521176.tif 000015
【図５Ｆ】
2011521176.tif 000016
【図５Ｇ】
2011521176.tif 000017
【図５Ｈ】
2011521176.tif 000018
【図５Ｉ】
2011521176.tif 000019
【図６Ａ】
2011521176.tif 000020
【図６Ｂ】
2011521176.tif 000021
【図６Ｃ】
2011521176.tif 000022
【図６Ｄ】
2011521176.tif 000023
【図６Ｅ】
2011521176.tif 000024
【図６Ｆ】
2011521176.tif 000025
【図７Ａ】
2011521176.tif 000026
【図７Ｂ】
2011521176.tif 000027
【図７Ｃ】
2011521176.tif 000028
【図７Ｄ】
2011521176.tif 000029
【図７Ｅ】
2011521176.tif 000030
【図７Ｆ】
2011521176.tif 000031
【図８Ａ】
2011521176.tif 000032
【図８Ｂ】
2011521176.tif 000033
【図８Ｃ】
2011521176.tif 000034
【図８Ｄ】
2011521176.tif 000035
【図９Ａ】
2011521176.tif 000036
【図９Ｂ】
2011521176.tif 000037
【図９Ｃ】
2011521176.tif 000038
【図１０】
2011521176.tif 000039
【図１１】
2011521176.tif 000040
【図１２】
2011521176.tif 000041
【図１３】
2011521176.tif 000042
【図１４】
2011521176.tif 000043
【図１５】
2011521176.tif 000044
【図１６】
2011521176.tif 000045
【図１７Ａ】
2011521176.tif 000046
【図１７Ｂ】
2011521176.tif 000047
【図１７Ｃ】
2011521176.tif 000048
【図１７Ｄ】
2011521176.tif 000049
【国際調査報告】
2011521176.tif 000050
2011521176.tif 000051
2011521176.tif 000052